(57)【要約】【課題】搬送効率を向上させる。【解決手段】インクジェットプリンタ１は、給紙部１１からベルトローラ６，７間に架け渡された搬送ベルト８の外周面８ａ上を搬送されて排紙部１２に用紙を送る。このとき、インクジェットプリンタ１は、排紙部１２の下方にラインイメージセンサ５２を有しており、このラインイメージセンサ５２によって搬送ベルト８によって搬送された後の用紙の下面を撮像する。【選択図】図１
2008297069.tif 000002
【特許請求の範囲】
【請求項１】
互いに平行な回転軸を有する２つのローラと、
前記２つのローラに巻き掛けられており、前記２つのローラの回転に伴って搬送媒体の下面と当接しつつ搬送媒体を搬送する外周面を有する搬送ベルトと、
前記搬送ベルトによって搬送された後の搬送媒体の下面を撮像する第１の撮像手段とを備えていることを特徴とするベルト搬送装置。
【請求項２】
前記第１の撮像手段によって得られた下面画像に基づいて、前記搬送媒体の下面が許容上限レベルを超えて汚れているか否かを判断する判断手段をさらに備えていることを特徴とする請求項１に記載のベルト搬送装置。
【請求項３】
前記判断手段が、前記下面画像と、これと同じ寸法を有する基準画像とを対応する微小領域ごとに比較することに基づいて、前記搬送媒体の下面が前記許容上限レベルを超えて汚れているか否かを判断することを特徴とする請求項２に記載のベルト搬送装置。
【請求項４】
前記搬送ベルトによって搬送される前の前記搬送媒体の下面を撮像する第２の撮像手段をさらに備えており、
前記判断手段が、前記第２の撮像手段によって得られた画像を前記基準画像として利用することを特徴とする請求項３に記載のベルト搬送装置。
【請求項５】
前記搬送媒体の下面が前記許容上限レベルを超えて汚れていると前記判断手段が判断したときに、その旨をユーザに通知する通知手段をさらに備えていることを特徴とする請求項２〜４のいずれか１項に記載のベルト搬送装置。
【請求項６】
前記搬送媒体の下面が前記許容上限レベルを超えて汚れていると前記判断手段が判断したときに、前記２つのローラの回転を停止させるローラ停止手段をさらに備えていることを特徴とする請求項２〜５のいずれか１項に記載のベルト搬送装置。
【請求項７】
前記搬送媒体が搬送される搬送方向の上流側に、前記搬送媒体を前記搬送ベルトに供給する搬送媒体供給装置と、
前記搬送媒体の下面が前記許容上限レベルを越えて汚れていると前記判断手段が判断したときに、前記搬送媒体供給装置を停止させる搬送停止手段とをさらに備えていることを特徴とする請求項２〜５のいずれか１項に記載のベルト搬送装置。
【請求項８】
前記搬送ベルトの前記外周面をクリーニングするクリーニング手段をさらに備えていることを特徴とする請求項２〜７のいずれか１項に記載のベルト搬送装置。
【請求項９】
前記クリーニング手段は、前記搬送媒体の下面が前記許容上限レベルを超えて汚れていると前記判断手段が判断したときに、前記搬送ベルトの前記外周面を自動的にクリーニングすることを特徴とする請求項８に記載のベルト搬送装置。
【請求項１０】
前記判断手段は、前記搬送媒体の下面が許容上限レベルを超えて汚れている場合に、その汚れレベルを判定するものであって、
前記クリーニング手段による前記搬送ベルトの前記外周面のクリーニング時間を、前記判断手段が判定した汚れレベルに基づいて制御するクリーニング制御手段をさらに備えていることを特徴とする請求項９に記載のベルト搬送装置。
【請求項１１】
請求項１〜１０のいずれかに記載のベルト搬送装置と、
前記搬送ベルト上を搬送されている前記搬送媒体に向けて液体を吐出する液体吐出ヘッドとを備えていることを特徴とする液体吐出装置。
【発明の詳細な説明】
【技術分野】
【０００１】
本発明は、無端の搬送ベルトによって記録媒体を搬送するベルト搬送装置及びこれを備えた液体吐出装置に関する。
【背景技術】
【０００２】
特許文献１には、搬送媒体である記録紙が搬送される搬送ベルトをクリーニングするためのクリーニングローラと、搬送ベルトの表面を読み取るラインセンサとを有する液体吐出装置であるインクジェット記録装置が開示されている。このインクジェット記録装置は、ラインセンサで搬送ベルトの表面を定期的に読み取って、この読み取ったデータから搬送ベルトの汚れレベルを検出し、検出した汚れレベルと前回クリーニング完了後の汚れレベルとに差がある場合に、クリーニングローラによりクリーニングを行う。
【０００３】
【特許文献１】特開平１１−１９２６９２号公報（図１）
【発明の開示】
【発明が解決しようとする課題】
【０００４】
しかしながら、搬送ベルトの汚れを直接検出し、この検出した汚れレベルからクリーニングを行うか否かを判断すると、搬送媒体に付着しない程度の軽微なインク汚れに対しても、クリーニングが行われてしまい、搬送効率が低下する。
【０００５】
そこで、本発明の目的は、搬送効率を向上させたベルト搬送装置及びこれを備えた液体吐出装置を提供することである。
【課題を解決するための手段】
【０００６】
本発明のベルト搬送装置は、互いに平行な回転軸を有する２つのローラと、前記２つのローラに巻き掛けられており、前記２つのローラの回転に伴って搬送媒体の下面と当接しつつ搬送媒体を搬送する外周面を有する搬送ベルトと、前記搬送ベルトによって搬送された後の搬送媒体の下面を撮像する第１の撮像手段とを備えている。
【０００７】
本発明のベルト搬送装置によれば、搬送媒体の下面を撮像することによって、搬送ベルトの汚れを速やかに検出することができる。搬送ベルトの汚れを直接検出するものではないので、搬送媒体を汚すことがない搬送ベルトの汚れは検出されず、搬送媒体を汚す搬送ベルトの汚れだけが検出される。したがって、不必要な搬送ベルトのクリーニング及び／または搬送ベルトの停止などを最小限に止めることができ、搬送効率が向上する。
【０００８】
また、前記第１の撮像手段によって得られた下面画像に基づいて、前記搬送媒体の下面が許容上限レベルを超えて汚れているか否かを判断する判断手段をさらに備えていることが好ましい。これによると、搬送ベルトの汚れに関する判断を自動化することで、ユーザの手間を削減することができる。
【０００９】
さらに、前記判断手段が、前記下面画像と、これと同じ寸法を有する基準画像とを対応する微小領域ごとに比較することに基づいて、前記搬送媒体の下面が前記許容上限レベルを超えて汚れているか否かを判断することが好ましい。これによると、搬送ベルトの汚れている領域を特定することができる。
【００１０】
加えて、前記搬送ベルトによって搬送される前の前記搬送媒体の下面を撮像する第２の撮像手段をさらに備えており、前記判断手段が、前記第２の撮像手段によって得られた画像を前記基準画像として利用することが好ましい。これによると、搬送ベルトによる搬送直前の下面画像を基準画像として利用することで、例えば元々模様のある搬送媒体を搬送する場合などにおいて、判断精度が向上する。
【００１１】
また、前記搬送媒体の下面が前記許容上限レベルを超えて汚れていると前記判断手段が判断したときに、その旨をユーザに通知する通知手段をさらに備えていることが好ましい。これによると、ユーザが、検出された搬送ベルトの汚れに自らの意思を尊重して対処することが可能となる。
【００１２】
また、前記搬送媒体の下面が前記許容上限レベルを超えて汚れていると前記判断手段が判断したときに、前記２つのローラの回転を停止させるローラ停止手段をさらに備えていることが好ましい。これによると、新たに搬送ベルト上に搬送される搬送媒体が許容上限レベルを超えて汚れるのを防止することができる。
【００１３】
さらに、前記搬送媒体が搬送される搬送方向の上流側に、前記搬送媒体を前記搬送ベルトに供給する搬送媒体供給装置と、前記搬送媒体の下面が前記許容上限レベルを越えて汚れていると前記判断手段が判断したときに、前記搬送媒体供給装置を停止させる搬送停止手段とをさらに備えていることが好ましい。これによると、新たに搬送される搬送媒体が許容上限レベルを超えて汚れるのを確実に防止することができる。
【００１４】
加えて、前記搬送ベルトの前記外周面をクリーニングするクリーニング手段をさらに備えていることが好ましい。これにより、汚れた搬送ベルトをクリーニングすることができる。
【００１５】
また、前記クリーニング手段は、前記搬送媒体の下面が前記許容上限レベルを超えて汚れていると前記判断手段が判断したときに、前記搬送ベルトの前記外周面を自動的にクリーニングしてもよい。これによると、クリーニングを自動的に開始させることで、ユーザの手間を削減することができる。
【００１６】
さらに、前記判断手段は、前記搬送媒体の下面が許容上限レベルを超えて汚れている場合に、その汚れレベルを判定するものであって、前記クリーニング手段による前記搬送ベルトの前記外周面のクリーニング時間を、前記判断手段が判定した汚れレベルに基づいて制御するクリーニング制御手段をさらに備えていることが好ましい。これにより、クリーニングの実行時間を適切なものとすることができる。
【００１７】
本発明の液体吐出装置は、上述したいずれかのベルト搬送装置と、前記搬送ベルト上を搬送されている前記搬送媒体に向けて液体を吐出する液体吐出ヘッドとを備えている。
【００１８】
本発明の液体吐出装置によれば、縁なし印字を行うなどして搬送ベルトが汚れた場合にも、搬送媒体の下面（非印刷面）の汚れを少なくすることができる。
【発明を実施するための最良の形態】
【００１９】
以下、本発明の好適な実施形態について、図面を参照しつつ説明する。
【００２０】
図１は、本発明に係るインクジェットプリンタの全体的な構成を示す側面図である。図１に示すように、インクジェットプリンタ１（液体吐出装置）は、４つのインクジェットヘッド２（液体吐出ヘッド）と、ベルト搬送装置２０とを有するカラーインクジェットプリンタである。また、インクジェットプリンタ１は、インクジェットプリンタ１を制御するための制御部６０（図２参照）を備えている。
【００２１】
ベルト搬送装置２０は、図１中左方に給紙部１１及び図１中右方に排紙部１２を有しており、給紙部１１から排紙部１２に向かって用紙（搬送媒体）を搬送する用紙搬送経路を形成している。給紙部１１のすぐ下流側には、用紙を挟持して搬送する一対の送りローラ５ａ，５ｂが配置されている。一対の送りローラ５ａ，５ｂによって用紙は図１中左方から右方へ送られる。これら給紙部１１と送りローラ５ａ，５ｂとで搬送媒体供給装置を構成している。
【００２２】
用紙搬送経路の中間部には、互いに平行な回転軸を有する２つのベルトローラ６，７と、両ローラ６，７間に架け渡されるように巻回されたエンドレスの搬送ベルト８とが設けられている。搬送ベルト８の外周面８ａにはシリコーン処理が施されており、粘着力を有している。ベルトローラ７と対向する位置には、押さえローラ４が配置されており、給紙部１１から送りローラ５ａ，５ｂによって送り出されて、ガイド５４を介して送られた用紙を搬送ベルト８の外周面８ａに押さえ付けている。
【００２３】
搬送ベルト８の下方には、搬送モータ９が配置されており、搬送モータ９の軸９ａとベルトローラ６の軸６ａとに駆動ベルト１０が架け渡されている。搬送モータ９の回転軸９ａが図１中時計回りに回転することで、ベルトローラ６が時計回りに回転駆動される。そして、ベルトローラ６，７に架け渡された搬送ベルト８がベルトローラ６の回転に伴って用紙搬送方向（図１中矢印で示す方向）に走行する。こうして、搬送ベルト８は、押さえローラ４によって外周面８ａに押さえ付けられた用紙を、その粘着力により当接した状態で保持しながら、ベルトローラ６の図１中時計回りの回転駆動によって下流側（右方）に向けて搬送する。
【００２４】
用紙搬送経路に沿った搬送ベルト８のすぐ下流側には、剥離機構１３が設けられている。剥離機構１３は、搬送ベルト８の搬送面８ａに粘着されている用紙を搬送面８ａから剥離して、図１中右方の排紙部１２に設けられた排出プレート５５へ向けて送る。
【００２５】
ガイド５４（送りローラ５ａ，５ｂと押さえローラ４との間）の下方には、搬送ベルト８によって搬送される前の給紙部１１から供給された用紙の下面（非印刷面）を撮像するラインイメージセンサ５１（第２の撮像手段）が設けられている。ガイド５４には、ラインイメージセンサ５１が用紙の下面を撮像できるように窓が設けられている。
【００２６】
排出プレート５５の下方には、搬送ベルト８によって搬送された後の用紙の下面を撮像するラインイメージセンサ５２（第１の撮像手段）が設けられている。排出プレート５５には、ラインイメージセンサ５２が用紙の下面を撮像できるように窓が設けられている。
【００２７】
ベルトローラ６の右斜め下の位置には、ベルトローラ６とで搬送ベルト８を挟むようにして、且つ、搬送ベルト８の外周面８ａと常に接触するように吸収体２１が配置されている。吸収体２１は、図１中紙面垂直方向に長手方向を有する直方体形状をしており、その長手方向の幅が搬送ベルト８の幅（図１中紙面垂直方向の幅）とほぼ同じ長さとなっている。吸収体２１は、開閉バルブ２４（図２参照）を介して図示しないタンクに接続されており、後述する判断部６６からの指令によって、開閉バルブ２４が「開状態」にされると、タンクの洗浄液が吸収体２１に供給される。一方、判断部６６からの指令によって開閉バルブ２４が「閉状態」にされると、吸収体２１への洗浄液の供給が遮断される。このようにして、吸収体２１は、洗浄液を吸収し、搬送ベルト８の外周面８ａに塗布する。
【００２８】
吸収体２１よりも搬送ベルト８の走行方向下流側（ベルトローラ６よりも下流側であって、且つ、４つのインクジェットヘッド２のすぐ上流側にあるベルトローラ７よりも上流側）であって、ベルトローラ６の左斜め下の位置には、先端が搬送ベルト８の外周面８ａと常に接触するようにブレード３１が配置されている。ブレード３１は、その先端で搬送ベルト８の外周面８ａに付着した洗浄液やインクなどを掻き取り、その掻き取った洗浄液などをブレード３１の下方に設けられた廃棄部３２に廃棄する。このように、吸収体２１、ブレード３１及び廃棄部３２とで搬送ベルト８の外周面８ａをクリーニングするクリーニング装置５３（クリーニング手段）を構成している。
【００２９】
４つのインクジェットヘッド２は、４色のインク（マゼンタ、イエロー、シアン、ブラック）に対応して、用紙搬送方向に沿って４つ並べられて設けられている。つまり、このインクジェットプリンタ１は、ライン式プリンタである。４つのインクジェットヘッド２は、その下端にヘッド本体３をそれぞれ有している。ヘッド本体３は、用紙搬送方向に直交した方向（図１中紙面に対して垂直方向）に長尺な細長い直方体形状となっている。また、ヘッド本体３の底面には、インクを下方に向けて吐出するための微小径のノズルが多数並べて形成されており、この底面が外周面８ａに対向するインク吐出面３ａとなっている。
【００３０】
ヘッド本体３は、インク吐出面３ａと搬送ベルト８のインクジェットヘッド２側の外周面８ａとが平行となり、且つ、これらの面の間に少量の隙間が形成されるように配置されている。この隙間部分は用紙搬送経路の一部を構成し、用紙が印刷される画像形成領域となっている。この構成で、搬送ベルト８上を搬送される用紙が４つのヘッド本体３のすぐ下方側を順に通過する際に、この用紙の上面すなわち印刷面に向けてノズルから各色のインクが吐出されることで、用紙上に所望のカラー画像を形成できるようになっている。
【００３１】
次に、インクジェットプリンタ１の制御系について、図２を参照して説明する。図２は、本発明に係るインクジェットプリンタの制御構成を示す概略ブロック図である。インクジェットプリンタ１に含まれる制御部６０は、演算処理装置であるＣＰＵ（Central Processing Unit）と、ＣＰＵが実行する制御プログラム及び制御プログラムに使用されるデータが記憶されているＲＯＭ（Read Only Memory）と、プログラム実行時にデータを一時記憶するためのＲＡＭ（Random Access Memory）とから構成されている。
【００３２】
制御部６０は、図２に示すように、ヘッド制御部６１、搬送制御部６２、ローラ制御部６３、基準画像データ取得部６４、撮像画像データ取得部６５、判断部６６及びクリーニング制御部６７を有している。
【００３３】
ヘッド制御部６１は、制御部６０がＰＣ（パーソナルコンピュータ）８０からの印刷信号を受信したときに、ヘッド駆動回路７１を制御して対応するインクジェットヘッド２からインクを吐出させる。
【００３４】
搬送制御部６２は、制御部６０がＰＣ８０からの印刷信号を受信したときに、送りモータ１４を駆動して両送りローラ５ａ，５ｂを回転させて用紙を搬送ベルト８上に供給するように、モータドライバ７２を制御する。
【００３５】
ローラ制御部６３は、制御部６０がＰＣ８０からの印刷信号を受信したときに、搬送モータ９を駆動してベルトローラ６を回転させて、搬送ベルト８上の用紙を用紙搬送方向に搬送するようにモータドライバ７３を制御する。
【００３６】
基準画像データ取得部６４は、ラインイメージセンサ５１によって読み込まれた搬送ベルト８によって搬送される前の用紙の下面の画像データを基準画像データとして取得する。
【００３７】
撮像画像データ取得部６５は、ラインイメージセンサ５２によって読み込まれた搬送ベルト８によって搬送された後の用紙の下面の画像データを撮像画像データとして取得する。
【００３８】
判断部６６（判断手段）は、基準画像データ取得部６４によって取得された基準画像データと、撮像画像データ取得部６５によって取得された撮像画像データとを対応する微小領域ごとに比較する。ここで、比較とは、基準画像データと撮像画像データとのそれぞれ対応する微小領域内において１画素ごとに濃度を測定する。そして、測定した微小領域内の画素全体の濃度を合計し、この濃度の合計に基準画像データの微小領域と撮像画像データの微小領域とで所定値以上の差があるか否かを比較する。所定値以上の差がある場合には、この微小領域は汚れていると判断する。用紙の全ての微小領域において比較を行い、汚れていると判断された微小領域の数が所定値（許容上限レベル）を超えている場合に、用紙の下面が搬送ベルト８上を搬送されることにより汚れている、つまり、搬送ベルト８が用紙の下面を汚す程度に汚れていると判断し、搬送制御部６２によって送りモータ１４の駆動を停止させて、両送りローラ５ａ，５ｂの回転を停止させるとともに、ローラ制御部６３によって搬送モータ９の駆動を停止させて、ベルトローラ６の回転を停止させる。すなわち、搬送制御部６２が搬送停止手段、ローラ制御部６３がローラ停止手段を構成している。
【００３９】
また、判断部６６は、その汚れた微小領域の数から汚れレベルを判定する。さらに、判断部６６は、警報装置７４（通知手段）により用紙の下面が許容上限レベルを超えて汚れていると、ユーザに通知する。警報装置７４は、図示しないランプを点滅させる、または、警報音を発生させるなど、ユーザに通知を行う構成であればいかなる構成であってもよい。
【００４０】
クリーニング制御部６７は、判断部６６により用紙の下面が許容上限レベルを超えて汚れていると判断された場合に、判断部６６により判定された汚れレベルに応じたクリーニング時間に基づいて、クリーニング装置５３により搬送ベルト８の外周面８ａのクリーニングを行う。
【００４１】
次に、搬送ベルト８の外周面８ａのクリーニングを行う一連の動作について、図３を参照して説明する。図３は、搬送ベルト８の外周面８ａのクリーニングを行うフローチャートである。
【００４２】
まず、制御部６０がＰＣ８０から印刷信号を受信すると、ローラ制御部６３が搬送モータ９を駆動して、搬送ベルト８を走行させる。また、搬送制御部６２が送りモータ１４を駆動して、搬送ベルト８への用紙の供給を開始する。この後、基準画像データ取得部６４によって取得された基準画像データと、撮像画像データ取得部６５によって取得された撮像画像データとを、判断部６６により対応する微小領域ごとに比較する（Ｓ１）。比較して汚れていると判断された微小領域の数が許容上限レベル以下の場合（Ｓ１：Ｎｏ）、搬送ベルト８の外周面８ａは汚れていない、もしくは用紙の下面を汚さない程度の汚れであると判断し、印刷を継続する。比較して汚れていると判断された微小領域の数が許容上限レベルを超えている場合（Ｓ１：Ｙｅｓ）、警報装置７４によって警報を発生させることにより、ユーザに搬送ベルト８の外周面８ａが汚れていることを通知する（Ｓ２）。さらに、搬送制御部６２により送りモータ１４の駆動を停止するとともに、ローラ制御部６３により搬送モータ９の駆動を停止する。このとき、両送りローラ５ａ，５ｂの回転が止まり（Ｓ３）、ベルトローラ６の回転が止まる（Ｓ４）ので、搬送ベルト８への用紙の供給及び搬送ベルト８による用紙の搬送が停止する。
【００４３】
続いて、自動クリーニングを行うか、手動クリーニングを行うかユーザに選択させる（Ｓ５）。手動クリーニングを行う場合（Ｓ５：Ｎｏ）、インクジェットプリンタ１の図示しない筐体を開けたときに、ローラ制御部６３によりベルトローラ６が回転し、搬送ベルト８が所定長だけ走行される。このとき、搬送ベルト８上に用紙が残っておれば排出され、その開口面に搬送ベルト８の汚れている外周面８ａが位置するように移動する。そして、ユーザにより、搬送ベルト８の外周面８ａが手動クリーニングされる（Ｓ７）。
【００４４】
また、自動クリーニングを行う場合（Ｓ５：Ｙｅｓ）、クリーニング制御部６７によるクリーニング時間に基づいて、クリーニング装置５３による搬送ベルト８の外周面８ａの自動クリーニングが行われる（Ｓ６）。この自動クリーニングでは、送りローラ５ａ，５ｂが停止した状態で、ベルトローラ６の回転駆動が再開される。搬送ベルト８上の用紙は排出される。このときの回転速度は、印刷中の回転速度より低い。ベルトローラ６の回転開始に合わせて、開閉バルブ２４が開状態とされ、吸収体２１に一定量の洗浄液が供給される。その後、開閉バルブ２４は閉状態とされる。ベルトローラ６が回転されると、吸収体２１は、搬送ベルト８の外周面８ａを摺察しながら洗浄液を塗布していく。吸収体２１の下流側では、ブレード３１が外周面８ａに付着したインクを洗浄液とともに払拭する。このようにしてクリーニングが終了すると、自動的に印刷が再開される（Ｓ８）。なお、自動クリーニング終了後に、自動的に印刷を再開せずに、手動クリーニングを行った後、印刷を開始してもよい。
【００４５】
以上説明したインクジェットプリンタ１によれば、ラインイメージセンサ５１によって取得された搬送ベルト８によって搬送される前の用紙の下面の画像データである基準画像データと、ラインイメージセンサ５２によって取得された搬送ベルト８によって搬送された後の用紙の下面の画像データである撮像画像データとを比較する。この比較の結果、比較して汚れていると判断された微小領域の数から用紙の下面の汚れを検出しているため、搬送ベルト８の汚れを速やかに検出することができる。また、搬送ベルト８の汚れを直接検出するものではないので、用紙を汚すことがない搬送ベルト８の汚れは検出されず、用紙を汚す搬送ベルト８の汚れだけが検出される。したがって、不必要な搬送ベルト８のクリーニング及び／または搬送ベルト８の停止などを最小限に止めることができ、搬送効率が向上する。縁なし印字を行うなどして、搬送ベルト８が汚れた場合にも、用紙の下面の汚れを少なくすることができる。
【００４６】
また、判断部６６により、搬送ベルト８の汚れに関する判断を自動化することで、ユーザの手間を削減することができる。さらに、判断部６６により、基準画像データと撮像画像データとを対応する微小領域ごとに比較していることで、搬送ベルト８の汚れている領域を特定することができる。このように、汚れた領域が特定可能なことは、メリットがある。例えば、搬送ベルト８の幅方向に亘って、複数の吸収体２１を離散的に配置しておけば、特定された領域に対応する吸収体２１だけに洗浄液を供給するればよく、洗浄液を無駄に使用することが無くなる。
【００４７】
さらに、ラインイメージセンサ５１によって取得された用紙の下面の画像を基準画像データとして利用していることで、例えば元々模様のある用紙を搬送する場合などにおいて、判断精度が向上する。
【００４８】
加えて、警報装置７４を有していることにより、ユーザが、検出された搬送ベルト８の汚れに自らの意思を尊重して対処することが可能となる。
【００４９】
また、判断部６６が、用紙の下面が許容上限レベルを超えて汚れていると判断したときに、搬送制御部６２により両送りローラ５ａ，５ｂの回転を停止し、且つ、ローラ制御部６３によりベルトローラ６の回転を停止することにより、新たに用紙が供給されることがなく、新たに供給される用紙が許容上限レベルを超えて汚れるのを確実に防止することができる。
【００５０】
さらに、クリーニング装置５３を有していることにより、汚れた搬送ベルト８をクリーニングすることができる。このとき、判断部６６が判定した用紙の下面の汚れレベルに応じたクリーニング時間をクリーニング制御部６７により決定しているため、クリーニングの実行時間を適切なものとすることができる。
【００５１】
次に、上述した本実施形態に種々の変更を加えた変形例について説明する。但し、上述した本実施形態と同様の構成を有するものについては、同じ符号を付して適宜その説明を省略する。
【００５２】
上述した実施形態においては、図３に示すように、搬送ベルト８の外周面８ａが汚れていると判断した場合（Ｓ１：Ｙｅｓ）、必ず自動クリーニングもしくは手動クリーニングをユーザが選択して行っていたが、クリーニングを行うか否かをユーザに確認して、ユーザの判断により自動クリーニングもしくは手動クリーニングを行ってもよい。例えば、図４に示すように、搬送ベルト８の外周面８ａが汚れていると判断した場合（Ｓ１０１：Ｙｅｓ）、ユーザに搬送ベルト８の外周面８ａが汚れていることを通知する（Ｓ１０２）とともに、両送りローラ５ａ，５ｂの回転及びベルトローラ６の回転を停止し（Ｓ１０３，Ｓ１０４）、印刷を停止する。そして、印刷停止する直前に印刷された用紙の下面をユーザが目視で確認する（Ｓ１０５）。そして、クリーニングが必要と判断した場合（Ｓ１０６：Ｙｅｓ）、クリーニング手法を選択して（Ｓ１０７）、自動クリーニング（Ｓ１０８）もしくは手動クリーニング（Ｓ１０９）を行い、印刷を再開してもよい（Ｓ１１０）。
【００５３】
また、図５に示すように、搬送ベルト８の外周面８ａが汚れていると判断した場合（Ｓ２０１：Ｙｅｓ）、ユーザに搬送ベルト８の外周面８ａが汚れていることを通知する（Ｓ２０２）。このとき、両送りローラ５ａ，５ｂの回転及びベルトローラ６の回転を停止せず、印刷を継続しておく。そして、通知直前に印刷された用紙の下面をユーザが目視で確認する（Ｓ２０３）。そして、クリーニングが必要と判断した場合（Ｓ２０４：Ｙｅｓ）、両送りローラ５ａ，５ｂの回転及びベルトローラ６の回転を停止し（Ｓ２０５，Ｓ２０６）、クリーニング手法を選択して（Ｓ２０７）、自動クリーニング（Ｓ２０８）もしくは手動クリーニング（Ｓ２０９）を行い、印刷を再開してもよい（Ｓ２１０）。
【００５４】
また、上述した実施形態においては、搬送ベルト８が汚れていると判断された場合に、自動クリーニングを行うか手動クリーニングを行うか毎回ユーザが選択していたが、印刷開始前に事前にクリーニング手法を選択していてもよい。
【００５５】
さらに、上述した実施形態においては、判断部６６により、用紙の下面が上限レベルを超えて汚れているか否かを判断していたが、用紙の下面の状態を検出するのみであれば、判断部６６、ローラ制御部６３及び搬送制御部６４を備えていなくてもよい。
【００５６】
加えて、上述した実施形態においては、ラインイメージセンサ５１によって取得された用紙の下面の画像を基準画像データとしていたが、予め用紙の下面を基準画像データとして記憶しておくことにより、ラインイメージセンサ５１を備えていなくてもよい。
【００５７】
また、上述した実施形態においては、クリーニング装置５３を備えていたが、手動でのみクリーニングを行うのであれば、クリーニング装置５３を備えていなくてもよい。
【００５８】
さらに、上述した実施形態においては、ローラ制御部６３及び搬送制御部６４により給紙部１１からの用紙の供給を停止していたが、搬送制御部６４のみを備えていても、給紙部１１からの用紙の供給を停止可能である。
【００５９】
加えて、上述した実施形態においては、クリーニング制御部６７により、判断部６６が判定した汚れレベルに基づいたクリーニング時間を設定していたが、クリーニング制御部６７を備えずに、搬送ベルト８の汚れを除去できる十分なクリーニング時間を固定して設定していてもよい。
【００６０】
上述した実施形態では、搬送ベルト８として１枚の幅広無端状ベルトを用いる場合、基準画像データを取得するラインイメージセンサ５１及び撮像画像データを取得するラインイメージセンサ５２を、搬送方向において、搬送ベルトの汚れやすい位置毎に対応して複数配置すると良い。例えば、縁なし印字を行うときの用紙の幅方向両端部に対応して各センサ５１，５２を配置する。これにより、用紙の裏面の汚れ具合を的確に知ることができる。
【００６１】
上述した実施形態では、搬送ベルト８として複数本の無端状ベルトを用いる場合、基準画像データを取得するラインイメージセンサ５１及び撮像画像データを取得するラインイメージセンサ５２を、搬送方向において、いずれかの無端状ベルトの延長線上に配置すると良い。このとき、無端状ベルトは、印刷によって汚れやすい位置にあるベルトを選ぶと良い。これによって、汚れた無端状ベルトだけを確実にクリーニングすることができる。また、駆動源への負荷を軽減でき、洗浄液の使用量も削減できる。もちろん、両センサ５１，５２を、搬送方向において、各無端状ベルトに対応してそれぞれ配置しても良い。このとき、各無端状ベルトに対応してクリーニング装置５３（吸収体２１とブレード３１）を個別に配置することで、汚れた無端状ベルトだけをクリーニングすることができる。
【００６２】
上述した実施形態では、ラインイメージセンサ５２を、排出プレート５５の下方に配置していたが、より上流に位置する剥離機構１３の下方や剥離機構１３及び排出プレート５５に跨るように配置しても良い。剥離機構１３と排出プレート５５とが離隔しているときには、これらの間に配置しても良い。これによって、搬送ベルト８の汚れを早いタイミングで知ることができる。
【００６３】
上述した実施形態では、クリーニング装置５３を構成する吸収体２１とブレード３１が搬送ベルト８の外周面８ａを常に摺察するように配置されていた。吸収体２１とブレード３１による摺察は、ベルトローラ６の回転駆動に対する抵抗を生む。駆動源の持つ駆動力に余裕がなければ、クリーニングを行うときだけ摺察するとよい。これによって、駆動源に対する負荷が減る。また、吸収体２１とブレード３１の長寿命化が図れる。
【００６４】
本発明は、上述の実施形態のようなインクジェットプリンタに限定されず、ベルト搬送装置であれば、様々な装置に適用可能である。
【図面の簡単な説明】
【００６５】
【図１】本発明の一実施形態に係るインクジェットプリンタの全体的な構成を示す側面図である。
【図２】本発明に係るインクジェットプリンタの制御構成を示す概略ブロック図である。
【図３】搬送ベルト８の外周面８ａのクリーニングを行うフローチャートである。
【図４】変形例に係る印刷を自動停止してクリーニングを行うフローチャートである。
【図５】別の変形例に係る印刷を手動停止してクリーニングを行うフローチャートである。
【符号の説明】
【００６６】
１  インクジェットプリンタ
２  インクジェットヘッド
５ａ，５ｂ  送りローラ
６，７  ベルトローラ
８  搬送ベルト
８ａ  外周面
１１  給紙部
２０  ベルト搬送装置
５１，５２  ラインイメージセンサ
５３  クリーニング装置
６０  制御部
６２  搬送制御部
６３  ローラ制御部
６６  判断部
６７  クリーニング制御部
７４  警報装置
【図１】
2008297069.tif 000003
【図２】
2008297069.tif 000004
【図３】
2008297069.tif 000005
【図４】
2008297069.tif 000006
【図５】
2008297069.tif 000007